(57)【要約】【課題】コントローラの要求を待たずに動作が必要な起動か否かを判断することができるようにする。【解決手段】エンジン制御部２０とコントローラ制御部３０とを有し、省エネルギモードが設定される画像形成装置であって、前記コントローラ制御部３０は、省エネルギモードから復帰するときに復帰要因を判断し、判断された復帰要因に基づいて書き込み部及び／又は読み取り部の動作が必要か否かを示す復帰モード信号４３を出力し、前記エンジン制御部２０は、前記復帰モード信号４３に基づいて前記書き込み部及び／又は読み取り部の初期化の要否を判断する。【選択図】図２
2007133168.tif 000002
【特許請求の範囲】
【請求項１】
エンジン制御手段とコントローラ制御手段とを有し、省エネルギモードが設定される画像形成装置であって、
前記コントローラ制御手段は、省エネルギモードから復帰するときに復帰要因を判断し、判断された復帰要因に基づいて書き込み手段及び／又は読み取り手段の動作が必要か否かを示す信号を出力し、
前記エンジン制御手段は、前記信号に基づいて前記書き込み手段及び／又は読み取り手段の初期化の要否を判断することを特徴とする画像形成装置。
【請求項２】
前記初期化が、前記書き込み手段及び／又は読み取り手段の動作が必要な場合の起動動作であることを特徴とする請求項１記載の画像形成装置。
【請求項３】
前記動作が必要な場合の起動動作がウォーミングアップ処理を伴う動作であることを特徴とする請求項２記載の画像形成装置。
【請求項４】
前記初期化が、前記書き込み手段及び／又は読み取り手段の動作が不要な場合の起動動作であることを特徴とする請求項１記載の画像形成装置。
【請求項５】
前記動作が不要な場合の起動動作が省エネルギ状態にする動作であることを特徴とする請求項４記載の画像形成装置。
【請求項６】
前記信号が省エネルギモードから復帰したか、電源ＯＮかを示す復帰モード信号であることを特徴とする請求項１ないし５のいずれか１項に記載の画像形成装置。
【請求項７】
前記復帰モード信号は前記エンジン制御部に対して入力されるハイレベル又はローレベルの信号であることを特徴とする請求項６記載の画像形成装置。
【請求項８】
省エネルギモードから復帰する画像形成装置の省エネルギ復帰方法において、
省エネルギモードからの立ち上げの種類を判断する工程と、
この立ち上げの種類を判断する工程で主電源がＯＮされたと判断したときには、書き込み手段及び読み取り手段の動作が必要であるとして、前記書き込み手段及び読み取り手段のウォーミングアップ処理を実行する工程と、
を備えていることを特徴とする画像形成装置の省エネルギ復帰方法。
【請求項９】
省エネルギモードから復帰する画像形成装置の省エネルギ復帰方法において、
省エネルギモードからの立ち上げの種類を判断する工程と、
省エネルギモードからの復帰の際、前記立ち上げの種類を判断する工程で、書き込み手段及び読み取り手段の動作が必要であると判断したときには、前記書き込み手段及び読み取り手段のウォーミングアップ処理を実行する工程と、
を備えていることを特徴とする画像形成装置の省エネルギ復帰方法。
【請求項１０】
省エネルギモードから復帰する画像形成装置の省エネルギ復帰方法において、
省エネルギモードからの立ち上げの種類を判断する工程と、
省エネルギモードからの復帰の際、前記立ち上げの種類を判断する工程で、書き込み手段の動作は不要、読み取り手段の動作は必要であると判断したときには、前記書き込み手段は省エネルギ状態にし、前記読み取り手段はウォーミングアップ処理を実行する工程と、
を備えていることを特徴とする画像形成装置の省エネルギ復帰方法。
【請求項１１】
省エネルギモードから復帰する画像形成装置の省エネルギ復帰方法において、
省エネルギモードからの立ち上げの種類を判断する工程と、
省エネルギモードからの復帰の際、前記立ち上げの種類を判断する工程で、書き込み手段の動作は必要、読み取り手段の動作は不要であると判断したときには、前記書き込み手段はウォーミングアップ処理を実行し、前記読み取り手段は省エネルギ状態にする工程と、
を備えていることを特徴とする画像形成装置の省エネルギ復帰方法。
【請求項１２】
省エネルギモードから復帰する画像形成装置の省エネルギ復帰方法において、
省エネルギモードからの立ち上げの種類を判断する工程と、
省エネルギモードからの復帰の際、前記立ち上げの種類を判断する工程で、書き込み手段の動作は不要、読み取り手段の動作も不要であると判断したときには、前記書き込み手段及び前記読み取り手段ともに省エネルギ状態にする工程と、
を備えていることを特徴とする画像形成装置の省エネルギ復帰方法。
【発明の詳細な説明】
【技術分野】
【０００１】
本発明は、複写機、ファクシミリ、プリンタ、及びこれらの機能を複合したディジタル複合機などの画像形成装置に係り、特に、省エネ制御に特徴のある画像形成装置、及びこの画像形成装置における省エネルギ復帰方法に関する。
【背景技術】
【０００２】
昨今の省エネルギ化の促進に伴って画像形成装置の省エネルギ化も進んできている。このうち特許文献１には、  複写機、スキャナ、プリンタ、ＦＡＸ等の複数種類の画像処理アプリケーション及び動作モードの実行履歴に関する情報と、読み取りや印刷などの各デバイスに関する情報とを取得し、記憶して、これらの情報と、各アプリケーションの動作モードと、前記複数の各デバイスの省エネ制御の必要性との関連を示す情報とを参照して、省エネ制御の必要性を有するデバイスについて省エネ制御を行うことが記載されている。
【０００３】
また、特許文献２には、表示装置への印刷ダイアログの表示処理を行うときに、通信装置及び信号伝送ラインを介してプリンタにスリープモード解除要求信号を送信することが記載され、特許文献３には、コピー開始キーの押下からコピー出力までに要する待ち時間を短縮しながら光源の有効寿命の損失を最小限に抑えるようにした画像形成装置が記載されている。
【０００４】
さらに、特許文献４には、エンジンのステータス変更をエンジンからのイベントをもってコントローラが認知し、この情報を使ってエンジンの制御実行するようなＩ／Ｆを実装するコントローラと、違うタイプのＩ／Ｆを持つエンジンに対してもコントローラで対応するためにエンジンとコントローラ間にコントローラから送られてくるコマンドをエンジンに対して通知するコマンドに変換するＩ／Ｆ変換部とを有し、コントローラから受け取ったコマンドがエンジンを介さずに処理できる場合、Ｉ／Ｆ変換部から直接コントローラにステータスを返す画像形成装置が規制されている。
【特許文献１】特開２００１−２８５５４３号公報
【特許文献２】特開２００１−２８５５４３号公報
【特許文献３】特開２０００−０１３５６５号公報
【特許文献４】特開２００４−１２７１５０号公報
【発明の開示】
【発明が解決しようとする課題】
【０００５】
前述の特許文献１ないし３記載の発明では、コントローラに依存して立ち上げ判断を行っていた。また、特許文献４記載の発明では、Ｉ／Ｆの相違にもコントローラが対応するように構成され、Ｉ／Ｆがコントローラから送られてくるコマンドを判断し、コントローラから受け取ったコマンドがエンジンを介さずに処理できる場合、Ｉ／Ｆ変換部から直接コントローラにステータスを返すようになっており、無駄な通信を抑えることはできるが、省エネルギ状態におけるエンジンの起動開始までは配慮されていなかった。
【０００６】
このように従来の画像形成装置では、エンジンがＯＦＦからＯＮになったときの起動制御はコントローラからの起動要求を待って立ち上げていたので、コントローラ側の起動時間が製品全体の立ち上がり時間に影響していた。
【０００７】
本発明は、このような従来技術の実情に鑑みてなされたもので、その目的は、コントローラの要求を待たずに動作が必要な起動か否かを判断することができるようにすることにある。
【課題を解決するための手段】
【０００８】
前記目的を達成するため、第１の手段は、エンジン制御手段とコントローラ制御手段とを有し、省エネルギモードが設定される画像形成装置であって、前記コントローラ制御手段は、省エネルギモードから復帰するときに復帰要因を判断し、判断された復帰要因に基づいて書き込み手段及び／又は読み取り手段の動作が必要か否かを示す信号を出力し、前記エンジン制御手段は、前記信号に基づいて前記書き込み手段及び／又は読み取り手段の初期化の要否を判断することを特徴とする。
【０００９】
第２の手段は、第１の手段において、前記初期化が前記書き込み手段及び／又は読み取り手段の動作が必要な場合の起動動作であることを特徴とする。
【００１０】
第３の手段は、第２の手段において、前記動作が必要な場合の起動動作がウォーミングアップ処理を伴う動作であることを特徴とする。
【００１１】
第４の手段は、第１の手段において、前記初期化が、前記書き込み手段及び／又は読み取り手段の動作が不要な場合の起動動作であることを特徴とする。
【００１２】
第５の手段は、第４の手段において、前記動作が不要な場合の起動動作が省エネルギ状態にする動作であることを特徴とする。
【００１３】
第６の手段は、第１ないし第５のいずれかの手段において、前記信号が省エネルギモードから復帰したか、電源ＯＮかを示す復帰モード信号であることを特徴とする。
【００１４】
第７の手段は、第６の手段において、前記復帰モード信号は前記エンジン制御部に対して入力されるハイレベル又はローレベルの信号であることを特徴とする。
【００１５】
第８の手段は、省エネルギモードから復帰する画像形成装置の省エネルギ復帰方法において、省エネルギモードからの立ち上げの種類を判断する工程と、この立ち上げの種類を判断する工程で主電源がＯＮされたと判断したときには、書き込み手段及び読み取り手段の動作が必要であるとして前記書き込み手段及び読み取り手段のウォーミングアップ処理を実行する工程とを備えていることを特徴とする。
【００１６】
第９の手段は、省エネルギモードから復帰する画像形成装置の省エネルギ復帰方法において、省エネルギモードからの立ち上げの種類を判断する工程と、省エネルギモードからの復帰の際、前記立ち上げの種類を判断する工程で、書き込み手段及び読み取り手段の動作が必要であると判断したときには、前記書き込み手段及び読み取り手段のウォーミングアップ処理を実行する工程とを備えていることを特徴とする。
【００１７】
第１０の手段は、省エネルギモードから復帰する画像形成装置の省エネルギ復帰方法において、省エネルギモードからの立ち上げの種類を判断する工程と、省エネルギモードからの復帰の際、前記立ち上げの種類を判断する工程で、書き込み手段の動作は不要、読み取り手段の動作は必要であると判断したときには、前記書き込み手段は省エネルギ状態にし、前記読み取り手段はウォーミングアップ処理を実行する工程とを備えていることを特徴とする。
【００１８】
第１１の手段は、省エネルギモードから復帰する画像形成装置の省エネルギ復帰方法において、省エネルギモードからの立ち上げの種類を判断する工程と、省エネルギモードからの復帰の際、前記立ち上げの種類を判断する工程で、書き込み手段の動作は必要、読み取り手段の動作は不要であると判断したときには、前記書き込み手段はウォーミングアップ処理を実行し、前記読み取り手段は省エネルギ状態にする工程とを備えていることを特徴とする法。
【００１９】
第１２の手段は、省エネルギモードから復帰する画像形成装置の省エネルギ復帰方法において、省エネルギモードからの立ち上げの種類を判断する工程と、省エネルギモードからの復帰の際、前記立ち上げの種類を判断する工程で、書き込み手段の動作は不要、読み取り手段の動作も不要であると判断したときには、前記書き込み手段及び前記読み取り手段ともに省エネルギ状態にする工程とを備えていることを特徴とする。
【００２０】
なお、後述の実施形態において、前記エンジン制御手段はエンジン制御部２０に、コントローラ制御手段はコントローラ制御部３０に、信号は復帰モード信号４３にそれぞれ対応する。
【発明の効果】
【００２１】
本発明によれば、コントローラ制御手段は省エネルギモードから復帰するときに復帰要因を判断し、判断された復帰要因に基づいて書き込み手段及び／又は読み取り手段の動作が必要か否かを示す信号を出力し、エンジン制御手段は前記信号に基づいて前記書き込み手段及び／又は読み取り手段の初期化の要否を判断するので、コントローラ制御手段のコントローラの要求を待たずに初期化実施に動作が必要な起動か否かを判断することができる。
【発明を実施するための最良の形態】
【００２２】
以下、本発明の最良の実施形態について図面を参照して説明する。
【００２３】
図１は本実施形態に係る画像形成装置の制御構成を示すブロック図である。図１において、本実施形態に係る画像形成装置は、操作部１０、エンジン制御部２０、コントローラ制御部３０、画像処理部３２、読み取り部（スキャナ部）３５、及び書き込み部（プロッタ部）３６から基本的に構成されている。
【００２４】
エンジン制御部２０はＣＰＵ２１、ＣＰＵ２１を動作させるためのプログラムを格納するＲＯＭ２２、プログラム用ワークＲＡＭ２３、制御、タイミングなどの調整値及び登録した複写モード設定を格納し電源を切ってもデータを保持する不揮発ＲＡＭ２４、及びディジタル複写機の各センサ３７の入力を元に、負荷３８などを制御するＩＯ制御部２５などにより構成されている。エンジン制御部２０とコントローラ制御部３０とは画像処理部３２を介して接続され、画像データのみならず、制御信号、ステータス信号についても画像処理部３２を介してやり取りする。画像形成装置の電源がオンされた場合にはエンジン制御部２０とコントローラ制御部３０の双方の初期化処理が終了するによってコピー可能なレディ状態となる。
【００２５】
読み取り部３５は例えば用紙上に形成された画像を読み取り画像データとして画像処理部３２に出力する。読み取られた画像データは操作部１０から設定されたモードに応じて画像処理部３２によりＭＴＦ補正、変倍処理、画質補正等を行った後、画像データ用ＲＡＭ３３及びＨＤＤ３４を制御するコントローラ３１を介してＨＤＤ３４に蓄えられる。複数部のコピーを取るような電子ソート機能を使う場合には、２部目以降のコピー動作を行うときにＨＤＤ３４から画像データを画像データ用ＲＡＭ３３にコピーしてコピー動作を行うことによって電子ソート動作が実現される。また用紙がジャムしてしまった場合のリカバリ動作にも使用される。画像処理部３２で印刷用のデータに処理された画像データは、書き込み部３６で給紙された用紙のタイミングに応じて書き込みが行われ、可視像として出力される。
【００２６】
また、コントローラ制御部３０には外部ホストと接続するためのネットワークコントロールユニット（ＮＣＵ）３９、公衆回線を介してファクシミリ機能を実現するためのファクシミリコントロールユニット（ＦＣＵ）４０を備えており、外部ＰＣからのプリントや、ファックス受信などがあった場合には、コントローラ３１により印字データに変換し、一旦、ＨＤＤ３４に蓄積して画像処理部３２を経由して書き込み部３６に送り、書き込み部３６で印字出力される。さらに、コントローラ３１からＣＰＵ２１にはプロッタ用信号４１とスキャナ用信号４２が出力される。
【００２７】
図２は図１に示した画像形成装置の電源供給部の制御構成を示すブロック図である。同図において前記エンジン制御部２０とコントローラ制御部３０にはＰＳＵ（電源供給装置）６０から５Ｖ、５ＶＥの電源供給をそれぞれ受けており、図１のコントローラ制御部３０に電源制御部５０が設けられ、電源制御部５０からエンジン制御部２０のＩＯ制御部２５に復帰モード信号４３が出力できる構成となっている。なお、コントローラ３１はＰＳＵ６０に対して５ＶのＯＮ／ＯＦＦ信号を出力する。電源制御部５０はトランジスタ５１と抵抗５２とからなり、トランジスタ５１のベースにはコントローラ３１が接続され、さらに、抵抗５２によってプルアップされている。また、トランジスタ５１から出力される復帰モード信号４３の出力線には抵抗５３を介して５ＶＥが入力されている。以下、図２の制御構成の動作について詳細に説明する。
【００２８】
コントローラ制御部３０はＰＳＵ６０からＯＦＦ（省エネ）モードでも電源供給される５ＶＥにより駆動され、エンジン制御部２０はＯＦＦ（省エネ）モード時にＯＦＦされる電源５Ｖで駆動されている。５ＶのＯＮ／ＯＦＦ制御は、コントローラ３１がＰＳＵ６０に対して５Ｖ  ＯＮ／ＯＦＦ信号を出力することにより可能となっている。
【００２９】
主電源ＯＮの立ち上げの場合には５ＶＥ、５ＶともＯＦＦからＯＮの状態に変化する。復帰モード信号４３が入力される入力ポートは抵抗５３を介して５ＶＥが接続されているので、「ハイレベル」となる。このときコントローラ３１の出力はＯＦＦ、ハイインピーダンスとなっており、抵抗５２によりトランジスタの入力は「ローレベル」に固定されている。これによりトランジスタ５１はＯＦＦ状態となっている。
【００３０】
ＯＦＦ（省エネ）モードに移行するときは、コントローラ５１はトランジスタ５１の入力を「ハイレベル」に設定する。この設定によりトランジスタ５１はＯＮするので、復帰モード信号４３が入力される入力ポートに対して「ローレベル」を出力する。この処理を行った後、コントローラ３１はＰＳＵに対して５ＶをＯＦＦするように制御し、エンジン制御部２０側の電源５Ｖを落とす。
【００３１】
ＯＦＦ（省エネ）モードから立ち上げるときには、コントローラ３１はＰＳＵ６０に対して５ＶをＯＮし、エンジン制御部２０側の電源５ＶをＯＮする。次いで、復帰モード信号４３が入力される入力ポートをチェックすると、この場合にはコントローラ３１の電源は入った状態であり、トランジスタ５１をＯＮするように制御しているので、「ローレベル」が入力される。これによりエンジン制御部２０のＣＰＵ２１は主電源ＯＮからの立ち上げではなく、ＯＦＦ（省エネ）モード立ち上げであると認識することができる。
【００３２】
ＯＦＦ（省エネ）モードから復帰する場合には、コントローラ３１は前記復帰の復帰要因に応じて５ＶをＯＮした後にプロッタ用信号４１、スキャナ用信号４２のレベルを「ハイレベル（動作が必要な起動」又は「ローレベル（動作が不要な起動）」にして出力する。すなわち、人為的な操作、例えば図示しないＡＤＦの開閉、ＡＤＦへの原稿設置、操作部１０からのアクセスなどの操作があった場合には、複写動作が行われる可能性が高いので、読み取り動作あるいは書き込み動作が行われる蓋然性が高いので「動作が必要な起動」と判断し、前記プロッタ用信号４１、スキャナ用信号４２の両者とも「ハイレベル（動作が必要な起動）」とし、「プリント要求」や「ＦＡＸ受信」などによって復帰する場合には、書き込み部３６のみ起動すればよいので、プロッタ用信号４１を「ハイレベル（動作が必要な起動）」とし、動作が行われない蓋然性が高いスキャナ用信号４２は「ローレベル（動作が不要な起動）」として出力する。逆に「ＦＡＸ送信」や「スキャナモード」等によって復帰する場合には、読み取り部３５のみ起動すればよいので、プロッタ用信号４１を「ローレベル（動作が不要な起動）」とし、スキャナ用信号４２は「ハイレベル（動作が必要な起動）」として出力する。
【００３３】
図３は書き込み部３６の立ち上げ時の処理手順を示すフローチャート、図４は読み取り部３５の立ち上げ時の処理手順を示すフローチャートである。以下、図１及び図２も参照して各立ち上げ時の条件毎に説明する。
【００３４】
＜主電源ＯＮからの立ち上げの場合＞
主電源ＯＦＦ時はコントローラ制御部３０及びエンジン制御部２０は電源供給を受けていない。主電源ＯＮがされるとコントローラ制御部３０及びエンジン制御部２０は画像形成装置の立ち上げを開始する。このときプロッタ用信号４１、スキャナ用信号４２のエンジン制御部２０側のＩＯ制御部２５（入力ポート）は「動作が必要な起動」の意味になっている。プロッタ用信号４１、スキャナ用信号４２のハード的な出力ポートのデフォルトは「動作が必要な起動」である。
【００３５】
エンジン制御部２０は、立ち上げ時にこの入力ポート（ＩＯ制御部２５）を確認し、「動作が必要な起動」と判断し、立ち上げ開始を行って動作（印刷／読取）可能状態にする。エンジン制御部２０は図４に示した読み取り部（スキャナ）用の処理と図３に示した書き込み部（プロッタ）用の処理の２つの処理を実行し、それぞれが立ち上げを開始する。
【００３６】
１）これらの処理では、まず、立ち上げのための初期化が行われる（ステップＳ１、Ｓ１１）。初期化としては、ＩＯ制御部２５からＩＮＰＵＴ情報（搬送路センサ、ユニット接続検知、ドアセンサなど）を取得すると共に不揮発ＲＡＭ２４から調整値の情報を取得などが行われる。
【００３７】
２）次いで、画像形成装置のドアの開閉状況、ユニット接続状況などのエラー状態確認を行い（ステップＳ２、Ｓ１２）、エラーの有無を判断する（ステップＳ３，Ｓ１３）。
【００３８】
３）ステップＳ３あるいはＳ１３でエラーがなかった場合には、書き込み部３６はプロッタ用信号４１を、読み取り部３５はスキャナ用信号４２を確認し「動作が必要な起動」と判断する（ステップＳ４，Ｓ１４−動作必要）。
【００３９】
４）ステップＳ４，Ｓ１４で動作が必要である場合には、書き込み部３６及び読み取り部３５は共に動作を伴う立ち上げを行い、終了後待機状態となり動作（印刷／読取）可能となる（ステップＳ５，Ｓ１５）。すなわちステップＳ５，Ｓ１５でウォーミングアップ処理を実行し、書き込み及び／又は読み取り動作が可能な状態とするが、このときのウォーミングアップでは、書き込み手段については定着装置を待機状態まで温度上昇させると共に作像部分も初期化動作させ、印刷可能状態な状態にする。また、読み取り手段ではシェーディング補正など読み取りに必要な処理を行う。
【００４０】
＜ＯＦＦ（省エネ）モードからの立ち上げの場合−その１＞
ＯＦＦ（省エネ）モード時はコントローラ制御部３０のみ電源供給を受け、エンジン制御部２０は電源供給を受けていない。そこで、コントローラ制御部３０は画像形成装置へ‘人為的な操作を受けた’、‘プリント要求を受けた’、‘ＦＡＸ要求を受けた’などエンジン制御部２０を動作（印刷／読取）させる必要があると判断した場合は、プロッタ用信号４１、スキャナ用信号４２を「動作が必要な起動」の意味にしてからエンジン制御部２０に電源を供給し、立ち上げを開始する。エンジン制御部２０での処理は前述の図３及び図４のフローチャートに示した通りである。処理も前記主電源ＯＮの立ち上げで説明した１）ないし４）と同様なので説明は省略する。
【００４１】
＜ＯＦＦ（省エネ）モードからの立ち上げの場合−その２＞
ＯＦＦ（省エネ）モード時はコントローラ制御部３０のみ電源供給を受け、エンジン制御部２０は電源供給を受けていない。そこで、コントローラ制御部３０は画像形成装置へ‘原稿読み取りの要求を受けた’とエンジン制御部２０を動作（読取のみ）させる必要があると判断した場合は、プロッタ用信号４１を「動作が不要な起動」、スキャナ用信号４２を「動作が必要な起動」の意味に設定した後、エンジン制御部２０に電源を供給し、立ち上げを開始する。
【００４２】
この場合には、前記主電源ＯＮの立ち上げで説明した処理手順のステップＳ４及びＳ１４以降の処理が異なるだけなので、ステップＳ４及びＳ１４からの処理について説明する。
【００４３】
５）ステップＳ３，Ｓ１３でエラーがなかった場合には、書き込み部３６はプロッタ用信号４１を、読み取り部３７はスキャナ用信号４２を確認し、書き込み部３６はステップＳ４で「動作が不要な起動」と判断し、読み取り部３５はステップＳ１４で「動作が必要な起動」と判断する。なお、ステップＳ４及びＳ１４は立ち上げの種類を判断するステップである。
【００４４】
６）書き込み部３６は前記ステップＳ４の判断により動作が不要な立ち上げを行い、読み取り部３５はステップＳ１４の判断により動作を伴う立ち上げを行う。そして、立ち上げ終了後、書き込み部３６は省エネ状態へ（ステップＳ６）、読み取り部３７は待機状態となり（ステップＳ１５）、動作（読取）が可能となる。「動作が不要な立ち上げ」では、画像形成装置の機械構成をコントローラ制御部３０へ通知するのみでありモータなどの負荷が一切動作されることはない。言い換えれば、ＣＰＵ２１は負荷を動作させることはない。
【００４５】
＜ＯＦＦ（省エネ）モードからの立ち上げの場合−その３＞
ＯＦＦ（省エネ）モード時はコントローラ制御部３０のみ電源供給を受け、エンジン制御部２０は電源供給を受けていない。そこで、コントローラ制御部３０は画像形成装置へ‘プリントの要求を受けた’、‘ＦＡＸ印刷の要求を受けた’とエンジン制御部２０を動作（印刷のみ）させる必要があると判断した場合は、プロッタ用信号４１は「動作が必要な起動」，スキャナ用信号４２は「動作が不要な起動」の意味に設定した後、エンジン制御部２０に電源を供給し立ち上げを開始する。
【００４６】
この場合には、前記主電源ＯＮの立ち上げで説明した処理手順のステップＳ４及びＳ１４以降の処理が異なるだけなので、ステップＳ４及びＳ１４からの処理について説明する。
【００４７】
７）ステップＳ３，Ｓ１３でエラーがなかった場合には、書き込み部３６はプロッタ用信号４１を、読み取り部３５はスキャナ用信号４２を確認し、書き込み部３６はステップＳ４で「動作が必要な起動」と判断し、読み取り部３５はステップＳ１４で「動作が不要な起動」と判断する。
【００４８】
８）書き込み部３６は前記ステップＳ４の判断に基づいて動作が不要な立ち上げを行い、読み取り手段３５はステップＳ１４の判断に基づいて動作を伴う立ち上げを行い、終了後読み取り部３５は省エネ状態（ステップＳ１６）へ、書き込み手段は待機状態となり動作（印刷）可能となる（ステップＳ５）。
【００４９】
＜ＯＦＦ（省エネ）モードからの立ち上げの場合−その４＞
ＯＦＦ（省エネ）モード時はコントローラ制御部３０のみ電源供給を受け、エンジン制御部２０は電源供給を受けていない。そこで、コントローラ制御部３０は画像形成装置の機械構成を取得すると判断した場合は、プロッタ用信号４１、スキャナ用信号４２は「動作が不要な起動」の意味にしてからエンジン制御部２０に電源を供給し立ち上げを開始する。
【００５０】
この場合には、前記主電源ＯＮの立ち上げで説明した処理手順のステップＳ４及びＳ１４以降の処理が異なるだけなので、ステップＳ４及びＳ１４からの処理について説明する。
【００５１】
９）ステップＳ３，Ｓ１３でエラーがなかった場合には、書き込み部３６はプロッタ用信号４１を、読み取り部３５はスキャナ用信号４２を確認し、書き込み部３６はステップＳ４で「動作が不要な起動」と判断し、読み取り部３５はステップＳ１４で「動作が不要な起動」と判断する。
【００５２】
１０）書き込み部３６及び読み取り部３５はそれぞれ動作が不要な立ち上げを行い（ステップＳ６，Ｓ１６）、立ち上げ処理終了後、省エネ状態へ移行する。
【００５３】
なお、前記各動作において、ステップＳ３あるいはＳ１３でエラーと判断された場合には、図３及び図４の処理手順を抜けて、図示しないエラー処理が実行される。
【００５４】
＜画像形成装置の機械的構成＞
図５は本実施形態に係る画像形成装置を示すもので、前記制御が実行されるディジタル複写機の一例を示す概略構成図である。同図において、ディジタル複写機はモノクロ画像形成用のもので本体４００と、画像形成装置本体４００の上部の設置された画像読み取り装置５００と、さらにその上に装着された自動原稿給送装置（以下、「ＡＤＦ」と称す）５５０と、画像形成装置本体４００の同図において右側に配置された大容量給紙装置７００と、画像形成装置本体４００の同図において左側に配置された用紙後処理装置８００とから基本的に構成されている。
【００５５】
画像形成装置本体４００は画像書き込み部４１０と、作像部４２０と、定着部４３０と、両面搬送部４４０と、給紙部４５０と、垂直搬送部４６０と、手差し部４７０とからなる。
【００５６】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００５７】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００５８】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００５９】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００６０】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００６１】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００６２】
画像読み取り装置５００は、ＡＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００６３】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【００６４】
この例の場合にも、レジストローラ４６１、感光体ドラム４２１、転写ユニット４２３の搬送ベルトを駆動する駆動ローラ、定着ユニット４３０の手員着ローラ及び加圧ローラの駆動について同様の制御が行われる。
【００６５】
前記省エネルギモードに対する立ち上げ制御は、例えばこのような構成の画像形成装置において実行される。
【００６６】
以上のように、本実施形態によれば、コントローラ制御部３０手段は省エネルギモードから復帰するときに復帰要因を判断し、判断された復帰要因に基づいて書き込み部３６及び／又は読み取り部３５の動作が必要か否かを示す復帰モード信号４３を出力し、エンジン制御部２０は前記復帰モード信号４３に基づいて書き込み部３６及び／又は読み取り部３５の初期化の要否を判断するので、コントローラ制御部３０のコントローラ３１の要求を待たずに初期化実施に動作が必要な起動か否かを判断することができる。その結果、ユーザが使用しているとき又は使用しようと思ったときにユーザを待たせることが少なくなり、ユーザがストレスを感じることなく安心して利用できる画像形成装置を提供することができる。
【図面の簡単な説明】
【００６７】
【図１】本発明の実施形態に係る画像形成装置の制御構成を示すブロック図である。
【図２】図１に示した画像形成装置の電源供給部の制御構成を示すブロック図である。
【図３】図１における書き込み部の立ち上げ時の処理手順を示すフローチャートである。
【図４】図１における読み取り部の立ち上げ時の処理手順を示すフローチャートである。
【図５】本発明の実施形態に係る画像形成装置の機械的構成の一例を示す概略構成図である。
【符号の説明】
【００６８】
２０  エンジン制御部
２１  ＣＰＵ
２５  ＩＯ制御部
３０  コントローラ制御部
３１  コントローラ
３２  画像処理部
３５  読み取り部
３６  書き込み部
４１  プロッタ用信号
４２  スキャナ用信号
４３  復帰モード信号
５０  電源制御部
６０  ＰＳＵ（電源供給装置）
【図１】
2007133168.tif 000003
【図２】
2007133168.tif 000004
【図３】
2007133168.tif 000005
【図４】
2007133168.tif 000006
【図５】
2007133168.tif 000007
【手続補正書】
【提出日】平成17年11月15日(2005.11.15)
【手続補正１】
【補正対象書類名】明細書
【補正対象項目名】０００４
【補正方法】変更
【補正の内容】
【０００４】
さらに、特許文献４には、エンジンのステータス変更をエンジンからのイベントをもってコントローラが認知し、この情報を使ってエンジンの制御実行するようなＩ／Ｆを実装するコントローラと、違うタイプのＩ／Ｆを持つエンジンに対してもコントローラで対応するためにエンジンとコントローラ間にコントローラから送られてくるコマンドをエンジンに対して通知するコマンドに変換するＩ／Ｆ変換部とを有し、コントローラから受け取ったコマンドがエンジンを介さずに処理できる場合、Ｉ／Ｆ変換部から直接コントローラにステータスを返す画像形成装置が規制されている。
【特許文献１】特開２００１−２８５５４３号公報
【特許文献２】特開２００３−０２９９５４号公報
【特許文献３】特開２０００−０１３５６５号公報
【特許文献４】特開２００４−１２７１５０号公報